(57)【要約】【課題】一つの印章具に姓と名前等の２つの名または記載事項がある場合、これらを押し分けることが可能で、更には、装飾性も高い印章具を提供する。【解決手段】左右対称で底部に第１、第２の斜辺面１１、１２を有し、天井部は水平面１３となった五角形の板状物１４の第１、第２の斜辺面１１、１２にゴム印または浸透印からなる第１、第２の印面部材１５、１６がそれぞれ設けられ、しかも、隣接する第１、第２の印面部材１５、１６の端部が第１、第２の斜辺面１１、１２の交差頂部１７から隙間を有して配置され、天井部にはその下方に記載された第１、第２の印面部材１５、１６に記載された名称の第１、第２の印影１８、１９が記載され、更に、板状物１４の表側には表裏を区別する浅い水平溝２０が形成されている。【選択図】図１
0003131819.tif 000002
【実用新案登録請求の範囲】
【請求項１】
左右対称で底部に第１、第２の斜辺面を有し、天井部は水平面となった五角形の板状物の前記第１、第２の斜辺面にゴム印または浸透印からなる第１、第２の印面部材がそれぞれ設けられ、しかも、隣接する前記第１、第２の印面部材の端部が前記第１、第２の斜辺面の交差頂部から隙間を有して配置され、前記天井部にはその下方に記載された前記第１、第２の印面部材に記載された名称の第１、第２の印影が記載され、更に、前記板状物の表側には表裏を区別する浅い水平溝が形成されていることを特徴とする印章具。
【請求項２】
請求項１記載の印章具において、前記板状部の下部は他の部分より厚みが厚くなって、その底部には幅広の前記第１、第２の斜辺面が形成されていることを特徴とする印章具。
【請求項３】
請求項１および２のいずれか１項に記載の印章具において、前記板状部の下部中心位置には、掛止紐を挿通可能な貫通孔が設けられ、倒立させて絵馬として使用可能であることを特徴とする印章具。
【請求項４】
請求項３記載の印章具において、前記板状物の表面で前記水平溝を避けた上または下の部分に、祈願またはお目出た事を意味する文字が記載されていることを特徴とする印章具。
【請求項５】
請求項３および４のいずれか１項に記載の印章具において、前記板状物の裏面には、願い事を記載する欄が設けられていることを特徴とする印章具。
【考案の詳細な説明】
【技術分野】
【０００１】
本考案は二種類の名称（例えば、苗字と名前）を別々に使い分けることが可能な印章具に関する。
【背景技術】
【０００２】
例えば、特許文献１には矩形板の底部にゴム印からなる印面部材（印面）が貼着され、矩形板の天井面の白地には、印面部材に記載された印影が印刷されている。このような姓と名前を記載した印章具において、姓または名前の片側のみを使用したい場合があり、この場合、姓または名前の部分に当て紙を行い、不要な姓または名前の印面が対象物（通常、紙）等に押印されないようにしている。
【０００３】
【特許文献１】実開平７−４０１５５号公報
【考案の開示】
【考案が解決しようとする課題】
【０００４】
しかしながら、当て紙を使用した押印にあっては、矩形板の底部を下にしてスタンプの上に印面部材を載せ、インクを姓名の両方に付ける必要があってインクの無駄となり、更に当て紙は使用しない名が押印されるので、最終的には廃棄する必要があり、紙の無駄となるという問題があった。このような問題は一つの印章具に２つの名を用いる場合、共通に発生する問題であった。
【０００５】
本考案はかかる事情に鑑みてなされたもので、例えば、一つの印章具に姓と名前等の２つの名または記載事項がある場合、これらを押し分けることが可能で、更には、装飾性も高い印章具を提供することを目的とする。
【課題を解決するための手段】
【０００６】
前記目的に沿う第１の考案に係るの印章具は、左右対称で底部に第１、第２の斜辺面を有し、天井部は水平面となった五角形の板状物の前記第１、第２の斜辺面にゴム印または浸透印からなる第１、第２の印面部材がそれぞれ設けられ、しかも、隣接する前記第１、第２の印面部材の端部が前記第１、第２の斜辺面の交差頂部から隙間を有して配置され、前記天井部にはその下方に記載された前記第１、第２の印面部材に記載された名称の第１、第２の印影が記載され、更に、前記板状物の表側には表裏を区別する浅い水平溝が形成されている。なお、本考案において、五角形の角部に丸みを付けたり端部を僅少の範囲で削って平面状とする場合（例えば、第１、第２の斜辺面の交差頂部を、例えば５ｍｍ以内の僅少の範囲で平面状とする場合）も、五角形の概念に含まれる。
【０００７】
また、第２の考案に係る印章具は、第１の考案に係る印章具において、前記板状部の下部は他の部分より厚みが厚くなって、その底部には幅広の前記第１、第２の斜辺面が形成されている。
【０００８】
第３の考案に係る印章具は、第１、第２の考案に係る印章具において、前記板状部の下部中心位置には、掛止紐を挿通可能な貫通孔が設けられ、倒立させて絵馬として使用可能である。
【０００９】
第４の考案に係る印章具は、第３の考案に係る印章具において、前記板状物の表面で前記水平溝を避けた上または下の部分に、祈願またはお目出た事を意味する文字が記載されている。
【００１０】
そして、第５の考案に係る印章具は、第３、第４の考案に係る印章具において、前記板状物の裏面には、願い事を記載する欄が設けられている。
【考案の効果】
【００１１】
請求項１〜５記載の印章具において、五角形の板状物の底部の第１、第２の斜辺面に第１、第２の印面部材がそれぞれ設けられているので、第１、第２の印面部材を使い分けることができ、更に、第１または第２の印面部材を押印した後、板状物の角度を変えることによって、他方の印面部材の押印をすることができ、従って、３通りの押印ができる。
そして、隣接する第１、第２の印面部材の端部が第１、第２の斜辺面の交差頂部から隙間を有して配置されているので、第１、第２の印面部材がゴム印であって、このゴム印にインクを付ける場合、不要な部分にインクが付かないし、押印時も汚れない。
【００１２】
特に、請求項２記載の印章具は、板状部の下部は他の部分より厚みが厚くなって、その底部には幅広の第１、第２の斜辺面が形成されているので、より情報の多い第１、第２の印面部材を設けるスペースを確保できる。
【００１３】
請求項３記載の印章具は、板状部の下部中心位置には、掛止紐を挿通可能な貫通孔が設けられているので、この部分に掛止紐（吊り下げ紐）を挿通し、倒立させて絵馬として使用可能であり、これによって印章具の用途が拡大し、需要者を引き付けて印章具の需要喚起を招く。
【００１４】
請求項４記載の印章具は、板状物の表面で水平溝を避けた部分に、祈願またはお目出た事を意味する文字が記載され、請求項５記載の印章具は、板状物の裏面には、願い事を記載する欄が設けられているので、印章具を絵馬として使用し、例えば、贈り物などにすることができる。
【考案を実施するための最良の形態】
【００１５】
続いて、添付した図面を参照しつつ、本考案を具体化した実施の形態につき説明し、本考案の理解に供する。
ここで、図１は上下逆にした本考案の第１の実施の形態に係る印章具の斜視図、図２（Ａ）〜（Ｃ）は同印章具の背面図、側面図、底面図、図３は本考案の第２の実施の形態に係る印章具の平面図、側面図、背面図である。
【００１６】
図１、図２（Ａ）〜（Ｃ）に示すように、本考案の第１の実施の形態に係る印章具１０は、左右対称で底部に第１、第２の斜辺面１１、１２を有し、天井部は水平面１３となった五角形の板状物１４を有している。この板状物１４は木質材料（一枚板、合成木材を含む）または硬質プラスチックであって、その寸法は、この実施の形態では、全高さＨが例えば、４〜２０ｃｍの範囲にあり、幅Ｗは高さＨの０．９〜１．３倍の範囲にあり、厚みｔは０．８〜１．５ｃｍの範囲にある。第１、第２の斜辺面１１、１２の交線角度は８〜６０度（より好ましくは９〜１５度）の範囲である。なお、本考案はこの数値に限定されるものではない。
【００１７】
第１、第２の斜辺面１１、１２にそれぞれ第１、第２の印面部材の一例である第１、第２のゴム印１５、１６が設けられ、しかも、隣接する第１、第２のゴム印１５、１６の端部が第１、第２の斜辺面１１、１２の交差頂部１７から２〜５ｍｍの距離Ｌを有し、第１、第２のゴム印１５、１６のうち片側のゴム印をスタンプに押し当てた場合、他側のゴム印の端部がスタンプに当接しないようになっている。なお、ゴム印１５、１６の代わりに浸透印を使用する場合も本考案は適用される（以下の実施の形態においても同じ）。
【００１８】
板状物１４の天井面を構成する水平面１３は白地となって、底部に設けられたゴム印１５、１６に対応する第１、第２の印影１８、１９が記載されている。これによって、ゴム印１５、１６の選別を行う。
板状物１４の表側には表裏を区別する幅８〜２０ｍｍの範囲にある断面円弧状の浅い（深さ１〜３ｍｍ）水平溝２０が形成されている。この実施の形態においては、水平溝２０は板状物１４の中央部付近に形成されている。
【００１９】
また、板状物１４を左右対称に分ける中央線の下部（図１、図２では上下逆に記載されているので、上部になる）には、直径が２〜５ｍｍの範囲にある貫通孔２１が設けられ、この貫通孔２１には掛止紐２２が挿通されている。この掛止紐２２は例えば４０〜６０ｃｍの紐を折り返してその端部を貫通孔２１に挿通し、端部に結び目を形成して板状物１４に固定されている。この掛止紐２２を用いてこの印章具１０を図１に示すように吊り下げると絵馬として使用可能である。
この実施の形態では、板状物１４の表側で水平溝２０の上部（図１では下部となる）には「合格祈願」の文字（他の祈願またはお目出た事を意味する文字でもよい）が上下逆に記載され、板状物１４の裏面には願い事を記載する欄（願い事記載欄２３）が設けられている。
【００２０】
続いて、この印章具１０の使用方法を説明すると、第１、第２のゴム印１５、１６の両方を使用する場合には、図示しない所定の色のスタンプに第１、第２のゴム印１５、１６をそれぞれ押し付けてインクを付ける。使用にあっては、第１、第２のゴム印１５、１６を押印位置にそれぞれ独立に押し付けて押印する。この場合、第１、第２のゴム印１５、１６は直線状に並んでいるので、それぞれの印影１８、１９も直線状に並ぶことになる。
【００２１】
第１、第２のゴム印１５、１６の片側のみを使用する場合には、片側のゴム印のみにインクを付けて使用する。この場合、他のゴム印にはインクを付けないで、また仮に他のゴム印にインクが付いていても押印しないで片側の印のみを使用することもできる。
掛止紐２２を用いてこの印章具１０を吊り下げれば、絵馬となり、願い事記載欄２３に願い事を書くことができる。
【００２２】
次に、図３（Ａ）〜（Ｃ）を参照しながら、本考案の第２の実施の形態に係る印章具２５について説明するが、印章具１０と同一の構成要素については同一の番号を使用し詳しい説明を省略する。
この実施の形態に係る印章具２５は、下部に幅広部２６が設けられ、他の部分より厚みが厚くなった木製またはプラスチック製の板状物２４を有し、その底部に幅広の第１、第２の斜辺面２７、２８が形成されている。この斜辺面２７、２８の交差角度については、第１の実施の形態に係る印章具１０の斜辺面１１、１２と同一である。
【００２３】
第１、第２の斜辺面２７、２８にはそれぞれ印面部材の一例である第１、第２のゴム印（または浸透印）２９、３０が設けられている。この第１、第２のゴム印２９、３０は、隣接する第１、第２のゴム印２９、３０の端部が、第１、第２の斜辺面２７、２８の交差頂部３１から隙間を有して配置され、第１、第２のゴム印２９、３０の一方のゴム印を使用する場合、他方のゴム印にインクが付着したり、その一部が押印されないようになっている。なお、図３においては、貫通孔２１を挿通する掛止紐は省略されている。
この印章具２５の使用にあっては、第１の実施の形態に係る印章具１０と同一であるので省略する。
【００２４】
なお、第１、第２の印面部材として浸透印を使用する場合は、一枚の短冊状に連接させた第１、第２の印面部材を、第１、第２の斜辺面に跨がって配置することもでき、この場合、第１、第２の斜辺面が交差する部分には平板状または溝形状に折り曲げたプラスチック製のカバーを設けておくのがよい。これによって、浸透印が板状物から脱落するのを防止できるとともに、浸透印の文字以外の部分が捺印される対象物（たとえば、紙や布）などに接して対象物が汚れるのを防止できる。
また、第１、第２の印面部材に浸透印を使用する場合、浸透印の文字以外の部分または文字を囲む部分をプラスチック等で覆うことが好ましい。これによって、浸透印の押印部以外の箇所が捺印される対象物に接するのを防止できる。
【００２５】
本考案は前記した実施の形態に限定されるものではなく、本考案の要旨を変更しない範囲での変形例も権利範囲に含まれる。例えば、五角形の板状物の角部（例えば、交差頂部）に丸みを付ける場合、角を取る場合も、板状物が五角形としての印象を失わない範囲での変形も本考案は適用される。
【図面の簡単な説明】
【００２６】
【図１】上下逆にした本考案の第１の実施の形態に係る印章具の斜視図である。
【図２】（Ａ）〜（Ｃ）はそれぞれ同印章具の背面図、側面図、底面図である。
【図３】本考案の第２の実施の形態に係る印章具の平面図、側面図、背面図である。
【符号の説明】
【００２７】
１０：印章具、１１：第１の斜辺面、１２：第２の斜辺面、１３：水平面、１４：板状物、１５：第１のゴム印、１６：第２のゴム印、１７：交差頂部、１８：第１の印影、１９：第２の印影、２０：水平溝、２１：貫通孔、２２：掛止紐、２３：願い事記載欄、２４：板状物、２５：印章具、２６：幅広部、２７：第１の斜辺面、２８：第２の斜辺面、２９：第１のゴム印、３０：第２のゴム印、３１：交差頂部
【図１】
0003131819.tif 000003
【図２】
0003131819.tif 000004
【図３】
0003131819.tif 000005